(57)【特許請求の範囲】
【請求項１】
柱，土台，梁等の骨材に囲繞された空間部に配設され前記骨材と連結することで家屋を構築するためのパネル体であって、対向する外部材の内面にして該外部材の表面から所定の距離だけ奥まった位置には凹溝が延設され、この外部材間には平板部材が設けられ、この平板部材の両端部は夫々前記凹溝に嵌入され、前記外部材の内面には長さ方向に延設される膨出部が設けられ、前記凹溝はこの膨出部に設けられていることを特徴とする家屋構築用のパネル体。
【請求項２】
請求項１記載の家屋構築用のパネル体において、前記外部材は左右対向状態で配設され、また、前記凹溝は前記膨出部の頂部位置に設けられていることを特徴とする家屋構築用のパネル体。
【請求項３】
請求項１，２いずれか１項に記載の家屋構築用のパネル体において、前記外部材として、断面視において隣接する二つの外側角部が直角で、また、内側の残りの三つの角部が鈍角な五角形状に近似した形状の外部材が採用され、この外部材にして前記内側の三つの角部の内の中央の角部位置に前記凹溝が設けられていることを特徴とする家屋構築用のパネル体。
【請求項４】
連結することで家屋を構築するためのパネル体であって、対向する外部材の内面にして該外部材の表面から所定の距離だけ奥まった位置には凹溝が延設され、この外部材間には平板部材が設けられ、この平板部材の両端部は夫々前記凹溝に嵌入され、前記外部材の内面には長さ方向に延設される膨出部が設けられ、前記凹溝はこの膨出部に設けられていることを特徴とする家屋構築用のパネル体。
【請求項５】
請求項４記載の家屋構築用のパネル体において、前記外部材は左右対向状態で配設され、また、前記凹溝は前記膨出部の頂部位置に設けられていることを特徴とする家屋構築用のパネル体。
【請求項６】
請求項４，５いずれか１項に記載の家屋構築用のパネル体において、前記外部材として、断面視において隣接する二つの外側角部が直角で、また、内側の残りの三つの角部が鈍角な五角形状に近似した形状の外部材が採用され、この外部材にして前記内側の三つの角部の内の中央の角部位置に前記凹溝が設けられていることを特徴とする家屋構築用のパネル体。
【請求項７】
壁がパネル体により形成された家屋であって、前記パネル体として請求項１〜６いずれか１項に記載の家屋構築用のパネル体が採用されていることを特徴とするパネル体により構築された家屋。
【発明の詳細な説明】
【０００１】
【発明の属する技術分野】
本発明は、家屋構築用のパネル体及びパネル体により構築された家屋に関するものである。
【０００２】
【従来の技術及び発明が解決しようとする課題】
従来から、柱，土台，梁等の骨材に囲繞された空間部をパネル体により閉塞して木造家屋を構築する方法や、パネル体のみを上下左右に連結して木造家屋を構築する方法等、パネル体を用いた家屋の構築方法が種々提案されている。
【０００３】
ところで、このパネル体として、特開平１１−１９００９９号のパネル体（以下、Ｈ型パネルという）が提案されている。
【０００４】
図１は、このＨ型パネルの平断面図を図示したもので、断面視方形の左右の外部材21の内面にして該外部材21の表面及び裏面から所定の距離だけ奥まった位置には凹溝22が上下方向に延設され、この左右の外部材21間には平板部材23が設けられ、該平板部材23の左右端部が夫々前記凹溝22に嵌入された構造で、上下方向の強度及び表裏方向の強度が主に外部材21により発揮され、左右方向の強度が主に平板部材23により発揮され、従前のパネル体に比し３乃至５倍の強度が発揮されることが実験により確認されている。
【０００５】
しかし、本発明者は上記Ｈ型パネルに下記の課題があることに気が付いた。
【０００６】
即ち、外部材21に凹溝22を設けると、この凹溝22の部位において外部材21が肉薄となり、該部位の強度が低くなる。また、この凹溝22には、平板部材23を支持する為の所定の深さが必要である為、なおのこと前記外部材21の強度低下は避けられない。
【０００７】
本発明は、上記課題を解決して更に高い強度を発揮するＨ型パネルを提供するものである。
【０００８】
【課題を解決するための手段】
添付図面を参照して本発明の要旨を説明する。
【０００９】
柱，土台，梁等の骨材に囲繞された空間部に配設され前記骨材と連結することで家屋を構築するためのパネル体であって、対向する外部材１の内面１ａにして該外部材１の表面から所定の距離だけ奥まった位置には凹溝２が延設され、この外部材１間には平板部材３が設けられ、この平板部材３の両端部は夫々前記凹溝２に嵌入され、前記外部材１の内面１ａには長さ方向に延設される膨出部４が設けられ、前記凹溝２はこの膨出部４に設けられていることを特徴とする家屋構築用のパネル体に係るものである。
【００１０】
また、請求項１記載の家屋構築用のパネル体において、前記外部材１は左右対向状態で配設され、また、前記凹溝２は前記膨出部４の頂部位置に設けられていることを特徴とする家屋構築用のパネル体に係るものである。
【００１１】
また、請求項１，２いずれか１項に記載の家屋構築用のパネル体において、前記外部材１として、断面視において隣接する二つの外側角部５ａ・５ｂが直角で、また、内側の残りの三つの角部５ｃ・５ｄ・５ｅが鈍角な五角形状に近似した形状の外部材１が採用され、この外部材１にして前記内側の三つの角部５ｃ・５ｄ・５ｅの内の中央の角部５ｄ位置に前記凹溝２が設けられていることを特徴とする家屋構築用のパネル体に係るものである。
【００１２】
また、連結することで家屋を構築するためのパネル体であって、対向する外部材１の内面１ａにして該外部材１の表面から所定の距離だけ奥まった位置には凹溝２が延設され、この外部材１間には平板部材３が設けられ、この平板部材３の両端部は夫々前記凹溝２に嵌入され、前記外部材１の内面１ａには長さ方向に延設される膨出部４が設けられ、前記凹溝２はこの膨出部４に設けられていることを特徴とする家屋構築用のパネル体に係るものである。
【００１３】
また、請求項４記載の家屋構築用のパネル体において、前記外部材１は左右対向状態で配設され、また、前記凹溝２は前記膨出部４の頂部位置に設けられていることを特徴とする家屋構築用のパネル体に係るものである。
【００１４】
また、請求項４，５いずれか１項に記載の家屋構築用のパネル体において、前記外部材１として、断面視において隣接する二つの外側角部５ａ・５ｂが直角で、また、内側の残りの三つの角部５ｃ・５ｄ・５ｅが鈍角な五角形状に近似した形状の外部材１が採用され、この外部材１にして前記内側の三つの角部５ｃ・５ｄ・５ｅの内の中央の角部５ｄ位置に前記凹溝２が設けられていることを特徴とする家屋構築用のパネル体に係るものである。
【００１５】
また、壁10がパネル体11により形成された家屋であって、前記パネル体11として請求項１〜６いずれか１項に記載の家屋構築用のパネル体が採用されていることを特徴とするパネル体により構築された家屋に係るものである。
【００１６】
【発明の作用及び効果】
外部材１の内面１ａには膨出部４が設けられて肉厚となっており、この膨出部４に凹溝２が設けられているから、この凹溝２の存在による外部材１の強度低下は可及的に防止されることになる。
【００１７】
本発明は上述のように構成したから、非常に高い強度を発揮する家屋構築用のパネル体となる。
【００１８】
【発明の実施の形態】
図面は本発明の一実施例を図示したものであり、以下に説明する。
【００１９】
本実施例は、柱，土台，梁等の骨材に囲繞された空間に配設され前記骨材と連結することで家屋を構築するためのパネル体であって、対向する左右の外部材１の内面１ａにして該外部材１の表面から所定の距離だけ奥まった位置には凹溝２が上下方向に延設され、この左右の外部材１間には平板部材３が設けられ、この平板部材３の左右端部は夫々前記凹溝２に嵌入され、前記左右の外部材１の内面１ａには長さ方向に延設される膨出部４が上下方向に夫々延設され、この膨出部４に前記凹溝２が夫々設けられているものである。
【００２０】
図面は、凹溝２が膨出部４の頂部に設けられている場合を図示している。
【００２１】
左右の外部材１は、一対の断面視五角形状に近似した木製の角材が採用されている。
【００２２】
また、この断面視五角形の外部材１は、断面視において隣接する二つの外側角部５ａ・５ｂが直角で、また、内側の残りの三つの角部５ｃ・５ｄ・５ｅが鈍角に設定された外部材１が採用されている。また、内側の残りの三つの角部５ｃ・５ｄ・５ｅが鈍角な五角形状に近似した形状の外部材１が採用され、この外部材１にして前記内側の三つの角部５ｃ・５ｄ・５ｅの内の中央の角部５ｄが膨出部４に設定され、この角部５ｄに凹溝２が設けられている。
【００２３】
また、この凹溝２が設けられた角部５ｃ以外の二つの鈍角の角部５ｃ・５ｅの角度は、凹溝２の底部が、該二つの鈍角の角部５ｃ・５ｅを結ぶ線と同等か、若しくは、該結ぶ線より内側となるように設定すると良い。具体的には、この二つの鈍角の角部５ｃ・５ｅの角度は約１００乃至１３５°に設定すると良い。
【００２４】
尚、前記鈍角の角部５ｃ・５ｅの角度が同じ外部材１でも、該外部材１の表裏方向の長さが異なれば膨出部４の膨出量も異なることになり（外部材１の表裏方向の長さが長い方が膨出部４の膨出量が大きくなる）、凹溝２の底部と前記結ぶ線との位置関係は異なることになる。
【００２５】
また、この膨出部４は、例えば湾曲膨出する形状であっても良い。
【００２６】
図示したパネル体11は、この凹溝２が外部材１の巾方向中央位置（表面及び裏面から同一距離を置いた位置）に設けられた強度の高い構成を採用しているが、例えば、平板部材３の表面側に厚い断熱材を付設する場合には該凹溝２の位置を角材の巾方向中央位置よりも裏面側に設定する等、この凹溝２の位置は家屋の設置条件に合わせて表面及び裏面から任意の距離を置いた位置に適宜設定しても良い。
【００２７】
また、凹溝２が外部材１の巾方向中央位置に設けられ、且つ、前記膨出部４に設定された角部５ｃ以外の二つの鈍角の角部５ｃ・５ｅの角度が同じに設定されている場合、外部材１の形状は表裏方向において対称となり、非常に強度の高い構成となる。
【００２８】
平板部材３は木製の合板部材が採用されている。
【００２９】
また、平板部材３の上下長は、外部材１の上下長さと同等に設定されている。
【００３０】
また、例えば、平板部材３の上下長を外部材１の上下長よりも若干長く設定し、該平板部材３の上端及び下端を夫々外部材１の上端及び下端から突出するように構成すると、この突出する平板部材３を、土台や梁等のパネル体11の上下に位置する骨材に設けられた凹溝に嵌入することができ、該パネル体11と骨材との接合強度を高めることができる。
【００３１】
また、平板部材３の左右端部は前記外部材１の凹溝２に嵌入され、パネル体11全体が平断面視Ｈ型に構成されている。
【００３２】
この外部材１と平板部材３との固定には接着剤による固定方法が採用されている。
【００３３】
この点、例えば、外部材１と平板部材３とを釘等の連結金具により固定する方法も考えられるが、この場合、パネル体11の強度（主に左右方向の強度）が大きく低下することが実験（破壊試験）により確認されている。この原因は、連結金具による固定手段であると、隣接する連結金具同志の間は全く固定されないことになり、結果的に固定強度にムラが発生するからではないかと考えられる。
【００３４】
また、パネル体11の上下長（高さ）は、家屋の一階分の高さ（約３ｍ）に近似する高さに設定されている。また、左右巾は、４５，６０，９０ｃｍ等に設定されている。
【００３５】
この本実施例のパネル体11によって家屋の壁10を形成する場合、左右の外部材１は隣接するパネル体11の左右の外部材１若しくは柱等の骨材に連結される。
【００３６】
尚、このパネル体11の表面側には外壁材が、また、裏面側には内壁材が夫々付設される。
【００３７】
本実施例は上述のように構成したから、膨出部４が存在する部位において外部材１は左右方向に肉厚となり、この肉厚の部位に凹溝２が設けられているから、該凹溝２の存在による外部材１の強度低下が可及的に防止され、よって、非常に高い強度を発揮する家屋構築用のパネル体となる。
【００３８】
また、外部材１として断面視が五角形のものを採用したから、断面視が四角形のものと異なり、外部材１に作用する表裏方向の荷重若しくは左右方向の荷重が斜め方向に分散され、よって、この点においても非常に高い強度を発揮する家屋構築用のパネル体となる。
【００３９】
また、この断面視が五角形の外部材１として、断面視において隣接する二つの外側角部５ａ・５ｂが直角で、また、内側の残りの三つの角部５ｃ・５ｄ・５ｅが鈍角のものが採用され、この外部材１にして三つの鈍角の角部５ｃ・５ｄ・５ｅの内の中央の角部５ｄ近傍が膨出部４に設定されているから、該外部材１の表面，裏面及び外面（左側の外部材１の左面及び右側の外部材１の右面）が夫々従来例の外部材と同様の形状となり、よって、該外部材１を隣接するパネル体11の外部材１や柱９等に良好に当接して接合したり、また、該外部材１の表面や裏面に外壁材や内壁材を良好に付設したりすることができる。
【００４０】
また、凹溝２の底部が、前記膨出部４以外の鈍角の角部５ｃ・５ｅを結ぶ線より内側、即ち、外部材１の内縁角部より内側に位置している場合には、この凹溝２部位でも外部材１は十分な肉厚を有することになり（Ｌ１≦Ｌ２  図１，参照、）、更に高い強度が発揮されることになる。
【００４１】
また、外部材１と平板部材３の固定は接着剤による固定が採用されているから、固定強度が部分的に偏ったりせず、パネル体11全体として高い強度が発揮されることになる。
【００４２】
また、外部材１は、図４に図示したように、例えば、丸太部材12から柱部材13を形成する際に残余となる部位14から形成することができる。従って、前記膨出部４は、この丸太部材12の残余となる部位14の外側に膨出する膨らみ部15を利用して形成することができ、また、この膨出部４の分、平板部材３も巾狭のものを使用することができ、木材の有効利用も達成できることになる。
【００４３】
尚、この本実施例のパネル体11は、９０°横倒し状態で使用しても良い。
【００４４】
また、外部材１が平板部材３を囲繞する状態で配設されている構成を採用しても良い。
【図面の簡単な説明】
【図１】  従来例の説明平断面図である。
【図２】  本実施例の説明平断面図である。
【図３】  本実施例の使用状態を示す説明斜視図である。
【図４】  本実施例の説明平断面図である。
【符号の説明】
１  外部材
１ａ  内面
２  凹溝
３  平板部材
４  膨出部
５ａ・５ｂ・５ｃ・５ｄ・５ｅ  角部
10  壁
11  パネル体
【図１】
0004017833.tif 000002
【図２】
0004017833.tif 000003
【図３】
0004017833.tif 000004
【図４】
0004017833.tif 000005